(57)【要約】【課題】数のプリントヘッドが、空気冷却の使用時にできるだけ等しい作動温度を有するようにする。【解決手段】プリンタ架台１６が、多数のプリントヘッド４８を備えたプリントユニット２２を支承しており、プリントヘッド４８が、ほぼ水平の方向で記録担体１２の搬送方向に対して直交する横方向に配置されており、プリンタ架台１６に位置固定に配置された連結ユニット３２が設けられており、該連結ユニット３２を介して空気が分配装置２４に供給可能であり、分配装置２４が、鉛直の方向で多数のプリントヘッド４８に冷却空気を供給するための少なくとも１つの冷却空気セグメント４０と、加熱された空気を排出するための少なくとも１つの排気セグメント５２とを有している。【選択図】図１
2012101542.tif 000002
【特許請求の範囲】
【請求項１】
記録担体（１２）に印刷を施すためのプリンタであって、プリンタ架台（１６）が設けられており、該プリンタ架台（１６）が、多数のプリントヘッド（４８）を備えたプリントユニット（２２）を支承しており、該プリントヘッド（４８）が、ほぼ水平の方向で記録担体（１２）の搬送方向に対して直交する横方向に配置されており、空気のための分配装置（２４）が設けられており、プリンタ架台（１６）に位置固定に配置された連結ユニット（３２）が設けられており、該連結ユニット（３２）を介して空気が分配装置（２４）に供給可能である形式のプリンタにおいて、分配装置（２４）が、鉛直の方向（Ｐ１）で多数のプリントヘッド（４８）に冷却空気を供給するための少なくとも１つの冷却空気セグメント（４０）と、加熱された空気を排出するための少なくとも１つの排気セグメント（５２）とを有していることを特徴とする、記録担体に印刷を施すためのプリンタ。
【請求項２】
分配装置（２４）がプリントユニット（２２）に結合されており、該プリントユニット（２２）が、印刷位置から待機位置へ、特に記録担体（１２）の搬送方向に対して直交する横方向に移動可能であり、前記待機位置で分配装置（２４）が連結ユニット（３２）から分離されている、請求項１記載のプリンタ。
【請求項３】
分配装置（２４）が、プリントユニット（２２）のためのカバーを形成しており、該カバーが、開放された状態でプリントヘッド（４８）を露出させて、上方からの直接の作業を可能にする、請求項１または２記載のプリンタ。
【請求項４】
分配装置（２４）が、少なくとも２つのカバー部分（２６，２８）に分割されており、該カバー部分（２６，２８）が、互いに離れる方向に離反旋回可能であり、かつ閉鎖された状態でインタフェースユニット（３０）を介して互いに結合されている、請求項３記載のプリンタ。
【請求項５】
冷却空気セグメント（４０）が、多数の冷却空気開口（４２）を有しており、該冷却空気開口（４２）が、多数のプリントヘッド（４８）に冷却空気を供給するようになっており、排気セグメント（５２）が、多数の排気開口（５０）を有しており、該排気開口（５０）を通じて、加熱された空気がプリントユニット（２２）から導出されるようになっている、請求項１から４までのいずれか１項記載のプリンタ。
【請求項６】
分配装置（２４）が、連結ユニット（３２）に空気密にかつ解離可能に結合されている、請求項１から５までのいずれか１項記載のプリンタ。
【請求項７】
冷却空気セグメント（４０）に設けられた冷却空気開口（４２）が、空気流を加速させるための通風機（４４）を有している、請求項１から６までのいずれか１項記載のプリンタ。
【請求項８】
排気セグメント（５２）に設けられた排気開口（５０）が、空気流を加速させるための通風機（５４）を有している、請求項１から７までのいずれか１項記載のプリンタ。
【請求項９】
各冷却空気開口（４２）に、空気流を方向付けかつ加速させるための給気ノズル（４６）がそれぞれ対応配置されている、請求項１から８までのいずれか１項記載のプリンタ。
【請求項１０】
当該プリンタ（１０）の周辺から新空気を吸い込むための新空気ブロワ（３６）が設けられている、請求項１から９までのいずれか１項記載のプリンタ。
【請求項１１】
前記新空気ブロワ（３６）が、当該プリンタ（１０）の外部の周辺の床面範囲から新空気を吸い込むようになっている、請求項１０記載のプリンタ。
【請求項１２】
排空気が少なくとも１つの熱交換器（７０，７２）に接続されており、該熱交換器（７０，７２）が、冷却された空気を給空気（Ｚ）として分配装置（２４）に供給するようになっている、請求項１から１１までのいずれか１項記載のプリンタ。
【請求項１３】
空気が、前記熱交換器（７０，７２）と、分配装置（２４）と、プリントユニット（２２）とにおいて、閉じられたシステム内を循環するようになっている、請求項１２記載のプリンタ。
【請求項１４】
プリンタ内のプリントヘッドを冷却するための方法であって、
プリンタ架台（１６）内に、ほぼ水平の方向に分配された多数のプリントヘッド（４８）を備えたプリントユニット（２２）を支承し、
プリンタ架台（１６）に位置固定に配置された連結ユニット（３２）により、分配装置（２４）に空気を供給し、
該分配装置（２４）により、少なくとも１つの冷却空気セグメント（４０）を介して鉛直の方向（Ｐ１）で多数のプリントヘッド（４８）に冷却空気を供給し、かつ少なくとも１つの排気セグメント（５２）を介して、加熱された空気を導出する
ことを特徴とする、プリンタ内のプリントヘッドを冷却するための方法。
【発明の詳細な説明】
【技術分野】
【０００１】
本発明は、記録担体に印刷を施すためのプリンタに関する。さらに本発明は、プリンタ内のプリントヘッドを冷却するための方法に関する。
【背景技術】
【０００２】
インキジェット式の印字ヘッドもしくはプリントヘッドを備えた公知のプリンタは、インキを用いて記録担体に印刷を施す。この場合、多数のプリントヘッドが相並んで並設されて配置されていて、印刷過程の際に個々のプリントヘッドが運動させられることなしに記録担体の複数の範囲に同時に印刷を施す。プリントヘッドは電子制御装置を有している。電子制御装置の損失出力はプリントヘッドおよび使用されたインキを加熱する。プリントヘッドおよび使用されたインキのための要求された作動温度を超過しないようにするためには、電気的な損失出力により発生した熱エネルギが排出されなければならない。このためには一般に空気冷却が使用される。この場合の空気案内は、形成された印像の品質に対して著しい影響を及ぼす恐れがある。すなわち、プリントヘッドの温度およびインキの温度ができるだけ等しくなることが確保されなければならない。このことは、プリントヘッドが多数存在する場合には問題となる恐れがある。高出力プリンタでは、複数のプリントヘッドが支持プレートに設けられている。この場合、迅速なカラー印刷のためには複数の支持プレートが配置されており、これらの支持プレートのプリントヘッドが同時に印刷を行う。空気供給が不均一であると、プリントヘッド毎に冷却の効率が異なってしまう恐れがある。たとえば、第１のプリントヘッドが空気入口の比較的近くに配置されていると、第１のプリントヘッドの冷却は改善されており、その結果、低い作動温度が得られる。それに対して、空気入口から遠ざけられたプリントヘッドおよびそのインキは、第１のプリントヘッドに比べて僅かな冷却しか受けず、高められた作動温度を有し、これにより印刷の印刷品質およびプリントヘッドの寿命が損なわれてしまう恐れがあるので不都合となる。
【０００３】
別の要求は保守適合性に関して与えられている。プリントヘッドにおいて保守を実施し得るようにするためには、相応する構造上の手段を講じることが必要となる。この場合、冷却のための空気案内のための機械的なエレメントができるだけ妨害因子にならないことが望ましい。
【０００４】
米国特許出願公開第４７０４６２０号明細書には、プリントヘッドの冷却が記載されている。この場合、プリントヘッドの側方に配置された給気・排気ブロワは、空気流を横方向でプリントヘッドへ案内し、そして加熱された空気を再び吸い出す。
【０００５】
米国特許出願公開第５９３６６４６号明細書には、プリントヘッドのための冷却装置を備えた画像現像ユニットが記載されている。この場合、プリントヘッドの周囲に生じた熱はベンチレータもしくは通風機により吸い出されて、冷却体へ導かれ、ひいては熱がプリントヘッドから導出される。
【先行技術文献】
【特許文献】
【０００６】
【特許文献１】米国特許出願公開第４７０４６２０号明細書
【特許文献２】米国特許出願公開第５９３６６４６号明細書
【発明の概要】
【発明が解決しようとする課題】
【０００７】
本発明の課題は、多数のプリントヘッドが、空気冷却の使用時にできるだけ等しい作動温度を有するようなプリンタを提供することである。
【０００８】
さらに本発明の課題は、多数のプリントヘッドが、空気冷却の使用時にできるだけ等しい作動温度を有するような、プリンタ内のプリントヘッドを冷却するための方法を提供することである。
【課題を解決するための手段】
【０００９】
この課題を解決するために本発明のプリンタの構成では、記録担体に印刷を施すためのプリンタであって、プリンタ架台が設けられており、該プリンタ架台が、多数の印字ヘッドもしくはプリントヘッドを備えた印刷ユニットもしくはプリントユニットを支承しており、該プリントヘッドが、ほぼ水平の方向で記録担体の搬送方向に対して直交する横方向に配置されており、空気のための分配装置が設けられており、プリンタ架台に位置固定に配置された連結ユニットが設けられており、該連結ユニットを介して空気が分配装置に供給可能である形式のプリンタにおいて、分配装置が、鉛直の方向で多数のプリントヘッドに冷却空気を供給するための少なくとも１つの冷却空気セグメントと、加熱された空気を排出するための少なくとも１つの排気セグメントとを有しているようにした。
【００１０】
さらに、上記課題を解決するために本発明の方法では、プリンタ内のプリントヘッドを冷却するための方法であって、プリンタ架台内に、ほぼ水平の方向に分配された多数の印字ヘッドもしくはプリントヘッドを備えた印刷ユニットもしくはプリントユニットを支承し、プリンタ架台に位置固定に配置された連結ユニットにより、分配装置に空気を供給し、該分配装置により、少なくとも１つの冷却空気セグメントを介して鉛直の方向で多数のプリントヘッドに冷却空気を供給し、かつ少なくとも１つの排気セグメントを介して、加熱された空気を導出するようにした。
【発明の効果】
【００１１】
本発明によれば、多数のプリントヘッドが１つのプリントユニットにまとめられている。プリントヘッドは、ほぼ水平の方向でプリントユニットの内部に分配されている。冷却のための空気は連結ユニットを介して分配装置に供給可能である。この分配装置は冷却空気セグメントを有しており、この冷却空気セグメントから空気は鉛直の方向で多数のプリントヘッドへ導かれる。さらに、分配装置は少なくとも１つの排気セグメントを有しており、この排気セグメントは加熱された空気を収容しかつ導出する。
【００１２】
鉛直の方向でプリントヘッドに冷却空気を供給することにより、プリントヘッドの均一な冷却が保証されるので、これらのプリントヘッドには、十分に一致した作動温度が生じる。「排空気」とも呼ばれる、加熱された空気は、排気セグメントにより収容されかつ導出される。これにより、空気滞留の危険が減じられており、このことはプリントヘッドの均一な冷却をアシストする。
【００１３】
本発明の１実施態様では、分配装置がプリントユニットに結合されており、該プリントユニットが、印刷位置から待機位置へ、たとえば記録担体の搬送方向に対して直交する横方向に移動可能であり、前記待機位置で分配装置が連結ユニットから分離されている。すなわち、この実施態様では、冷却空気を供給しかつ排空気を導出する分配装置が、プリントユニットと一緒にプリンタ架台に対して相対的に運動させられるので、プリントヘッドと空気冷却のための構造エレメントとは、１つのコンパクトな構造を有している。待機位置においては、プリントヘッドの冷却が必要とならないので、分配装置はこの位置において連結ユニットから分離されていてよい。冷却空気を分配装置に供給するこのような連結ユニットは、位置固定にプリンタ架台に結合されているので、所要の冷却エレメントをこのように可動の部分と、位置固定の部分とに分割することにより、一方では印刷位置のためにも待機位置のためにも有利であるコンパクトな構造が達成され、他方ではこのような構造により、待機位置においてプリントヘッドへの簡単化されたアプローチが可能となる。
【００１４】
別の実施形態では、分配装置が、プリントユニットのためのカバーを形成しており、該カバーが、開放された状態でプリントヘッドを露出させて、上方からの直接のアプローチを可能にし、ひいては直接の作業を可能にする。これにより、分配装置は線状移動、旋回または取外しによってプリントヘッドのためのアプローチを可能にするので、分配装置は一方ではカバーの閉じられた状態においてプリントユニットと共にコンパクトなユニットを形成し、他方ではカバーの開かれた状態において保守を容易にする。
【００１５】
第１の変化形では、分配装置にプリンタの外部から新空気が供給される。特に新空気は、プリンタが設置されている床面の近傍の周辺部から取り出される。床面周辺からの新空気供給は有利である。なぜならば、この空気はプリンタのヘッド範囲におけるよりも冷たいからである。周辺空気を冷却のために使用することにより、冷却部全体の単純な構造がもたらされる。
【００１６】
別の変化形では、排空気、つまりプリントヘッドにより加熱された空気が、分配装置と連結エレメントとを介して少なくとも１つの熱交換器に供給され、この熱交換器が排空気を冷却する。この冷却された空気は分配装置の冷却空気セグメントに供給される。この変化形は、閉じられた循環路として構成されていてよく、その場合には、周辺部から付加的な空気は取り出されない。
【００１７】
本発明による、プリンタ内のプリントヘッドを冷却するための方法を用いて得られる利点は、前で説明した利点と一致する。
【図面の簡単な説明】
【００１８】
【図１】周辺部から冷却空気を得るプリンタの原理図である。
【図２】図１に示した実施形態に用いられる空気案内部を３つの異なる方向から見た部分図により示す概略図である。
【図３】冷却空気の案内部を３つの異なる方向から見た部分図により示す概略図である。
【図４】分配装置を２つの運転状態で示す概略図である。
【図５】開放されたカバー部分を有するプリントユニットの標準の運転状態を示す概略図である。
【図６】プリントユニットを待機位置で示す概略図である。
【図７】開放されたカバー部分を有する分配装置を示す概略図である。
【図８】熱交換器を用いた閉じられた空気案内循環路を３つの異なる方向から見た部分図により示す概略図である。
【発明を実施するための形態】
【００１９】
以下に、本発明を実施するための形態を図面につき詳しく説明する。図面中、同一の構成部分はそれぞれ同じ符号で示されている。
【００２０】
図１には、本発明が実現されているプリンタ１０の原理的な構造が示されている。このプリンタ１０は高圧出力型のプリンタであり、この高出力型のプリンタはインキジェット原理に従って含水性のインキをウェブ状の記録担体１２に印刷する。この記録担体１２、一般に紙ウェブは、ほぼ水平の方向でプリンタ１０を通って搬送され、この場合、記録担体１２は複数のローラ１４（１つのローラにのみ符号１４が付されている）に沿って案内される。ローラ１４はプリンタ架台１６内に支承されており、このプリンタ架台１６は多数の装置類を収容している。プリンタ架台１６は複数の器具ベース１８（１つの器具ベースにのみ符号１８が付されている）によって床面２０に支持されている。
【００２１】
プリンタ架台１６内には、印字ユニットもしくはプリントユニット２２が支承されている。このプリントユニット２２は多数のインキジェット式の印字ヘッドもしくはプリントヘッド（図示しない）を有している。プリントユニット２２の上方には、分配装置２４が配置されている。この分配装置２４は空気の分配を行う。分配装置２４はプリントユニット２２のためのカバーまたは覆いとしても働き、２つのカバー部分２６，２８に分割されている。両カバー部分２６，２８は１つの共通のインタフェースユニット３０を有している。
【００２２】
分配装置２４は片側で連結ユニット３２に結合されており、この連結ユニット３２はプリンタ架台１６に位置固定に配置されている。この連結ユニット３２を介して、分配装置２４には空気が供給される。連結ユニット３２は本実施形態では、新空気供給のためのフレキシブルな管３４に結合されている。管３４は新空気ブロワ３６に接続されており、この新空気ブロワ３６は空気フィルタ３８を介して床面範囲、たとえばプリントユニット２２の下方の範囲から空気を吸い込む。
【００２３】
図１に示したプリンタ１０では、プリンタ架台１６を取り囲むパネルカバー部分は取り去られている。空気フィルタ３８は、図示されていないパネルカバー部分により取り囲まれたプリンタ１０の内側に配置されていて、所属のパネルカバー部分の床面範囲に設けられた格子状の開口を通じて空気を吸い込むようになっていると有利である。
【００２４】
図２には、図１に示した実施形態のための空気案内を明瞭するために、互いに異なる３つの方向から見た部分図より成る概略図が示されている。図２の左上側には、記録担体１２を前方から見た側面図が概略的に図示されており、図２の右上側には、記録担体１２の搬送方向に対して直交する横方向から見た側面図が示されており、図２の下側には、上から見た平面図が示されている。左上側の側面図には、分配装置２４に結合されているプリントユニット２２が見えている。この分配装置２４は中央に冷却空気セグメント４０を有している。この冷却空気セグメント４０は上方に対して閉鎖されている。冷却空気セグメント４０は下方に対して複数の開口４２を有しており、これらの開口４２には、それぞれ１つのベンチレータもしくは通風機４４が内蔵されている（１つの開口と１つの通風機とにのみ、それぞれ符号４２；４４が付されている）。これらの通風機４４は冷却空気セグメント４０から給気ノズル４６に給空気を吹き込む。給気ノズル４６は、たとえばノズル開口としてスリットを有している。この給空気または冷却空気は通風機４４と給気ノズル４６とによって加速されて、鉛直方向で方向Ｐ１において、相並んで並設配置されている複数のプリントヘッド４８に衝突する（図示されている５つのプリントヘッドのうち、１つのプリントヘッドにのみ符号４８が付されている）。給空気はプリントヘッド４８を取り囲んで流過するように流れて、プリントヘッド４８の電子装置の損失出力に基づき生ぜしめられた熱を吸収する。加熱された空気（「排空気」とも呼ぶ）はプリントユニット２２の内部で矢印Ｐ２の方向に案内されて、複数の開口５０（１つの開口にのみ符号５０が付されている）を介して２つの排気セグメント５２内に案内される。排気セグメント５２は冷却空気セグメント４０の両側で分配装置２４内に内蔵されている。排気開口５０には通風機５４が内蔵されており、これらの通風機５４は排空気を加速して排出する。排空気は矢印Ｐ３の方向で上方に向かってプリンタ１０の外部へ案内され、この場合、排空気は、たとえば付加的な開口を介して、または各排気セグメント５２に設けられた、格子体によって閉鎖されたそれぞれ１つの開口を介して案内される。
【００２５】
図２の右上側から判るように、給空気Ｚは位置固定の連結ユニット３２を介して供給されて、冷却空気セグメント４０に分配される。さらに下で詳しく説明するように、図２の左側に示したプリントヘッド４８（この場合、５つのプリントヘッド）はまとめられて、それぞれプリントヘッド列５４（１つのプリントヘッド列にのみ符号５４が付されている）を形成している。この場合、各プリントヘッド列５４はそれぞれ１種のインキ色に対応している。給気ノズル４６は、各プリントヘッド列５４にスリット状の開口４７を備えた１つの給気ノズル４６が対応するように分配されている。
【００２６】
図面には、斜めに延びるインタフェースユニット３０も図示されている。分配装置２４を開放するためには、一方のカバー部分２６を図面で見て右側へ向かって旋回させ、次いで他方のカバー部分２８を図面で見て左側へ向かって旋回させることができる。インタフェースユニット３０は環状の軟質のシール部材を有しているので、閉鎖された状態では冷却空気セグメント４０も、両排気セグメント５２も、一貫した中空室を形成している。
【００２７】
図２の下側に示した平面図から判るように、大面積の空気フィルタ３８により、床面近傍からの空気３９が濾過される。こうして、異物やダストがプリントユニット２２の内部に侵入しないように濾別される。連結ユニット３２は同じく軟質でフレキシブルなシール部材を有しており、これにより連結ユニット３２は、該連結ユニット３２に対峙する冷却空気セグメント４０に対して空気密にシールされる。この平面図から判るように、冷却空気セグメント４０には、通風機４４を備えた種々の冷却空気開口が設けられており、排気セグメント５２には、同じく排気開口と通風機とが設けられている。
【００２８】
図３には、互いに異なる３つの方向から見た概略的な部分図で、冷却空気の供給が示されている。上側の図には、プリントヘッド列５４が斜視図で示されている。このプリントヘッド列５４では、１つの支持プレート５６上に複数のプリントヘッド４８が配置されている。これらのプリントヘッド４８はそれぞれ１つのハウジング内に電子構成素子、たとえば損失熱を発生させる出力電子装置を有しており、この出力電子装置が熱源５８（１つの熱源にのみ符号５８が付されている）を形成する。鉛直方向に方向Ｐ１で流入した冷却空気は、熱源５８によって加熱され、熱エネルギは排出される。下側の部分図には、給気ノズル４６が図示されている。この給気ノズル４６はほぼ鉛直な方向Ｐ１で給空気を供給するので、給気ノズル４６に対応するプリントヘッド列５４の全てのプリントヘッド４８が冷却される。左側の部分図には、スリット状の開口４７を備えた給気ノズル４６が図示されている。支持プレート５６はプリントユニット２２内で鉛直方向に運動可能であるので、ノズル開口４７とプリントヘッド４８との間の間隔ａを変えることができる。支持プレート５６の持ち上げられた位置においても、ノズル開口４７とプリントヘッド４８の上側の輪郭制限部との間には、カバー部分２６，２８の旋回時でも接触を回避するための十分なスペースが残るように最小間隔が設定されている。
【００２９】
図４には、分配装置２４の２つの状態が概略的に図示されている。既に述べたように、分配装置２４は１実施形態では２つのカバー部分２６，２８に分割されており、両カバー部分２６，２８は旋回ジョイント６０を介してプリントユニット２２に旋回可能に結合されている。インタフェースユニット３０は片方のカバー部分２８に結合されている。下側の部分図に示したような閉鎖された状態では、インタフェースユニット３０が両カバー部分２６，２８を結合しているので、分配装置２４の長さに沿って一貫して延びる中空室が形成される。
【００３０】
図５には、プリンタ１０が標準の運転位置で示されている。標準の運転位置では、プリントユニット２２が記録担体１２の上方に位置している。両カバー部分２６，２８は上方旋回させられているので、この位置ではプリントユニット２２の内部およびプリントヘッド４８が露出して直接に作業することが可能になっている。図５から判るように、各カバー部分２６，２８毎に、それぞれスリット状の開口を備えた３つの給気ノズル４６が設けられている。排空気は空気格子体６２を介して流出する。
【００３１】
図６に示したプリンタ１０では、プリントユニット２２が待機位置に位置しており、この待機位置ではプリントヘッドが印刷を行わない。プリントユニット２２は分配装置２４と一緒に記録担体１２に対して直交する横方向でガイド６４に沿って移動させられている。連結ユニット３２はこの状態では冷却空気セグメント４０には接続されておらず、冷却空気を供給しない。
【００３２】
図７には、開放されたカバー部分２６，２８を備えた分配装置２４が図示されている。この位置では、プリントユニット２２の内部、特にプリントヘッドが露出するので、プリントヘッド２２の内部に直接にアプローチして作業することができる。
【００３３】
図８には、図２と同様の、互いに異なる３つの方向から見た部分図より成る概略図の形で、変化実施形態が示されている。この実施形態では、排空気が、分配装置２４の上側に設けられた開口を介して外部へ案内されるのではなく、排気セグメント５２が上部で閉鎖されていて、排空気を矢印方向Ｐ４で、連結ユニット３２に設けられた相応する開口と、管６６，６８またはシュート状通路とを介して、２つの熱交換器７０，７２へ案内する。両熱交換器７０，７２には、ファンが組み込まれている。これらの熱交換器７０，７２は排空気から熱を取り出し、この熱を冷却媒体に供給する。冷却された排空気は給気Ｚとして矢印方向Ｐ５で１つの管またはシュート状通路と連結ユニット３２とを介して冷却空気セグメント４０に給空気として供給され、そしてこの冷却空気セグメント４０から鉛直方向で冷却のためにプリントヘッドに供給される。したがって、空気は閉じられたシステム内を循環する。このことには、循環する空気が、異物やインキミストを有しなくなるという別の利点がある。
【００３４】
上で説明した実施形態は種々様々に変えることができる。すなわち、図１に示した新空気供給のためのフレキシブルな管３４を、固定に据え付けされたシュート状通路によって代えることもできる。図示のインタフェースユニット３０は軟質のシール部材を備えており、このシール部材は、両カバー部分２６，２８の互いに相対的な位置誤差を補償することができる。インタフェースユニット３０は運動学的に好都合になるという理由から、斜めに形成されている。これにより、単純でかつ廉価な旋回ジョイントを使用することができる。択一的には、分配装置が単独の部分から成っていてよい。その場合、この単独の部分は片側でプリントユニット２２に枢着されており、これにより単一のカバーとして旋回させられるようになる。さらに、分配装置を２つよりも多い部分に分割することも可能である。その場合、これらの部分は、プリントユニット２２の内部を露出させて直接アプローチできるようにするために、線状に移動させられるか、または旋回させられる。連結ユニット３２は斜めの連結面の代わりに別の形状を有していてもよい。分配装置との連結面において生じる剪断力を最小限に抑えるために、接触面は、摩擦を減少させる繊維載着部を備えていてよい。有利には、分配装置およびプリントユニットの内部の空気は、周辺に対して過圧を有しているので、プリンタ内へのダスト、インキミストまたは異物の侵入は回避される。
【符号の説明】
【００３５】
１０  プリンタ
１２  記録担体
１４  ローラ
１６  プリンタ架台
１８  器具ベース
２０  床面
２２  プリントユニット
２４  分配装置
２６，２８  カバー部分
３０  インタフェースユニット
３２  連結ユニット
３４  管
３６  新空気ブロワ
３８  空気フィルタ
３９  空気
４０  冷却空気セグメント
４２  開口
４４  通風機
４６  給気ノズル
４７  開口
４８  プリントヘッド
５０  開口
５２  排気セグメント
５６  支持プレート
５８  熱源
６０  旋回ジョイント
６２  空気格子体
６４  ガイド
６６，６８  管
７０，７２  熱交換器
Ｚ  給気
【図１】
2012101542.tif 000003
【図２】
2012101542.tif 000004
【図３】
2012101542.tif 000005
【図４】
2012101542.tif 000006
【図５】
2012101542.tif 000007
【図６】
2012101542.tif 000008
【図７】
2012101542.tif 000009
【図８】
2012101542.tif 000010